(57)【要約】【課題】読み取り領域を簡素な処理で精度よく設定する画像読み取り装置を提供する。【解決手段】原稿が納まる矩形の原稿窓を有する原稿ホルダと、原稿ホルダ及び原稿の主走査線上を原稿ホルダの表面側から読み取るリニアイメージセンサと、リニアイメージセンサの出力信号に基づいて読み取り領域を設定する読み取り領域設定手段とを備える画像読み取り装置であって、原稿ホルダは、原稿の種類に応じて交換可能であって、原稿窓の主走査線に垂直な辺の上流側に延びる延長線上に形成されたマークを有し、読み取り領域設定手段は、リニアイメージセンサの出力信号に基づいてマークの位置を検出し、マークの位置に応じて読み取り領域を設定する。【選択図】  図１
2005020258.tif 000002
【特許請求の範囲】
【請求項１】
原稿が納まる矩形の原稿窓を有する原稿ホルダと、
前記原稿ホルダ及び原稿の主走査線上を前記原稿ホルダの表面側から読み取るリニアイメージセンサと、
前記原稿ホルダを裏面又は表面から照射する光源を有し、主走査線から前記リニアイメージセンサに至る光路を形成する光学系と、
前記原稿ホルダ及び原稿に対し主走査線を主走査線に垂直な副走査方向に移動させる副走査手段と、
前記リニアイメージセンサの出力信号に基づいて読み取り領域を設定する読み取り領域設定手段とを備える画像読み取り装置であって、
前記原稿ホルダは、原稿の種類に応じて交換可能であって、前記原稿窓の主走査線に垂直な辺の上流側に延びる延長線上に形成されたマークを有し、
前記読み取り領域設定手段は、前記リニアイメージセンサの出力信号に基づいて前記マークの位置を検出し、前記マークの位置に応じて読み取り領域を設定することを特徴とする画像読み取り装置。
【請求項２】
前記原稿ホルダは、前記原稿窓の主走査線に垂直な対向する２辺の延長線上にそれぞれ形成された前記マークを有し、
前記読み取り領域設定手段は、前記マークの間隔に応じて読み取り領域の主走査方向の両端を設定することを特徴とする請求項１に記載の画像読み取り装置。
【請求項３】
前記読み取り領域設定手段は、それぞれ前記マークを通り主走査線に垂直な対向する二直線に、読み取り領域の主走査線に垂直な対向する二辺が重なるように読み取り領域を設定することを特徴とする請求項２に記載の画像読み取り装置。
【請求項４】
前記マークは前記原稿ホルダに形成された通孔であることを特徴とする請求項１、２又は３に記載の画像読み取り装置。
【請求項５】
前記マークは前記原稿ホルダに形成された通孔と前記通孔を前記原稿ホルダの裏面から閉塞する閉塞部材とで形成されていることを特徴とする請求項１、２又は３に記載の画像読み取り装置。
【請求項６】
前記マークは円形であることを特徴とする請求項１〜５のいずれか一項に記載の画像読み取り装置。
【発明の詳細な説明】
【０００１】
【発明の属する技術分野】
本発明は画像読み取り装置に関する。
【０００２】
【従来の技術】
一般に、画像読み取り装置では、３５ｍｍストリップフィルム等の写真フィルムを原稿ホルダによって支持した状態でその透過光像をイメージセンサによって読み取っている。従来、写真フィルム等の透過原稿の読み取り領域を自動判定する画像読み取り装置が知られている。また、原稿ホルダで支持された反射原稿を読み取り可能な画像読み取り装置も知られている。写真フィルム用の原稿ホルダには、被写体が現像された矩形領域に対応した開口が形成されている。写真フィルムは、被写体が現像された矩形領域がその開口に納まるように原稿ホルダに支持される。複数種類の写真フィルムに対応した画像読み取り装置では、写真フィルムの種類に応じて原稿ホルダを交換可能になっている。画像読み取り装置では、原稿ホルダの開口領域そのものを読み取り領域と判定したり、開口領域を判定した上でさらにそれより狭い領域を読み取り領域として判定したりする。
【０００３】
【発明が解決しようとする課題】
ところで、原稿ホルダによって原稿が納まる開口の領域が決まっていれば、原稿ホルダの種類さえ判定できれば、原稿ホルダの種類から原稿が納まっている開口のおよその領域を設定することができる。しかしながら、画像読み取り装置では、現実空間上の位置を、光学系を介してリニアイメージセンサの画素に対応付けている。このため、画像読み取り装置ごとに光学系の倍率誤差等のばらつきがあると、現実空間上の一つの位置が装置毎に異なる画素に対応付けられる。したがって、原稿ホルダの種類から開口の領域を判定し、そのように判定した開口の領域にイメージセンサの画素を倍率誤差のない光学系を基準として一義的に対応付けると、光学系に倍率誤差がある画像読み取り装置では、イメージセンサの画素に現実空間の開口の領域とずれた領域が対応付けられる。特に読み取り開始位置の精度は重要であるが、倍率誤差に加えてイメージセンサの組付け位置の調整誤差が原因となるため、精度よく読み取り開始位置を設定することができない。
【０００４】
また、読み取り領域の精度を上げるために原稿ホルダ全体を読み取った画像全体の濃度ヒストグラムに基づいて読み取り領域を設定すると、メモリやプロセッサといったリソースを長期間占有する煩雑な処理が必要になる。
本発明は、かかる問題を解決するために創作されたものであって、原稿の読み取り領域を簡素な処理で精度よく設定する画像読み取り装置を提供することを目的とする。
【０００５】
【課題を解決するための手段】
上記目的を達成するため、本発明に係る画像読み取り装置は、原稿が納まる矩形の原稿窓を有する原稿ホルダと、前記原稿ホルダ及び原稿の主走査線上を前記原稿ホルダの表面側から読み取るリニアイメージセンサと、前記原稿ホルダを裏面又は表面から照射する光源を有し、主走査線から前記リニアイメージセンサに至る光路を形成する光学系と、前記原稿ホルダ及び原稿に対し主走査線を主走査線に垂直な副走査方向に移動させる副走査手段と、前記リニアイメージセンサの出力信号に基づいて読み取り領域を設定する読み取り領域設定手段とを備える画像読み取り装置であって、前記原稿ホルダは、原稿の種類に応じて交換可能であって、前記原稿窓の主走査線に垂直な辺の上流側に延びる延長線上に形成されたマークを有し、前記読み取り領域設定手段は、前記リニアイメージセンサの出力信号に基づいて前記マークの位置を検出し、前記マークの位置に応じて読み取り領域を設定することを特徴とする。原稿ホルダの原稿窓の主走査線に垂直な辺の上流側に延びる延長線上にマークを形成しておくことにより、リニアイメージセンサの出力信号に基づいてマークの位置を検出し、マークの位置を基準にして読み取り領域を設定することができる。原稿ホルダに形成されたマークを基準として読み取り領域を設定すると、イメージセンサの組み付け位置の調整誤差が読み取り領域の設定に実質的な影響を与えなくなるため、読み取り領域を精度よく設定できる。
【０００６】
さらに本発明に係る画像読み取り装置では、前記原稿ホルダは、前記原稿窓の主走査線に垂直な対向する２辺の延長線上にそれぞれ形成された前記マークを有し、前記読み取り領域設定手段は、前記マークの間隔に応じて読み取り領域の主走査方向の両端を設定することを特徴とする。原稿ホルダの原稿窓の主走査線に垂直な対向する２辺の延長線上にそれぞれマークを形成しておくことにより、原稿窓の主走査線に垂直な対向する２辺の位置をリニアイメージセンサの出力信号に基づいて精度よく検出することができる。したがって、リニアイメージセンサの出力信号に基づいてマークの位置をそれぞれ検出し、原稿窓の主走査線に垂直な対向する２辺に対応する読み取り領域の主走査方向の両端を、マークの位置を基準として設定すると、読み取り領域を精度よく設定することができる。
【０００７】
さらに本発明に係る画像読み取り装置では、前記読み取り領域設定手段は、それぞれ前記マークを通り主走査線に垂直な対向する二直線に、読み取り領域の主走査線に垂直な対向する二辺が重なるように読み取り領域を設定することを特徴とする。それぞれマークを通り主走査線に垂直な対向する二直線に、読み取り領域の主走査線に垂直な対向する二辺が重なるように読み取り領域を設定することにより、原稿窓の主走査方向の両端を精度よく設定することができる。
【０００８】
さらに本発明に係る画像読み取り装置では、前記マークは前記原稿ホルダに形成された通孔であることを特徴とする。通孔が形成された原稿ホルダを裏面から照射すると、通孔を通った光がイメージセンサに検出される。したがって、通孔を通る光をイメージセンサで検出し、通孔の位置を基準として読み取り領域を設定することによって、原稿ホルダを裏面から照射した状態でも読み取り領域を精度よく設定することができる。
【０００９】
さらに本発明に係る画像読み取り装置では、マークは前記原稿ホルダに形成された通孔と前記通孔を前記原稿ホルダの裏面から閉塞する閉塞部材とで形成されていることを特徴とする。原稿ホルダに形成する通孔は、原稿ホルダに形成される原稿窓と同一の成形工程において成形することができる。したがって、印刷などの別工程で原稿ホルダにマークを形成する場合に比べ、原稿窓に対してマークを精度よく位置決めすることができる。すなわち、通孔でマークを形成することにより、印刷等でマークを形成する場合に比べて読み取り領域を精度よく設定することができる。
【００１０】
さらに本発明に係る画像読み取り装置では、前記マークは円形であることを特徴とする。円形のマークは、その光学像から中心位置を正確に検出することが容易である。したがって、マークを円形にすると、マークの正確な中心位置を基準にして読み取り領域を設定することができるため、読み取り領域をさらに精度よく設定できる。
【００１１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【００１２】
【発明の実施の形態】
以下、本発明の実施の形態を複数の実施例に基づいて説明する。
（第一実施例）
第一実施例では、フィルムなどの透過原稿を読み取るための原稿ホルダを例に説明する。
図２は、本発明の第一実施例に係る画像読み取り装置としてのスキャナ１を示す模式図である。
リニアイメージセンサ１２は、原稿ホルダ２０及び原稿Ｍの主走査線上を読み取る。具体的には、リニアイメージセンサ１２は図２において紙面垂直方向に直線状に並ぶフォトダイオード等の複数の画素を備え、可視光、赤外光、紫外光などの所定の波長領域の光を光電変換して得られる電荷を一定時間蓄積し、各画素について受光量に相関した出力信号をＣＣＤ（Ｃｈａｒｇｅ  Ｃｏｕｐｌｅｄ  Ｄｅｖｉｃｅ）、ＭＯＳトランジスタスイッチ等を用いて出力する。図２においてリニアイメージセンサ１２側の面を原稿ホルダ２０の表面といい、光源１１ａ側の面を裏面というものとする。
【００１３】
光学系は、原稿ホルダ２０を裏面から照射する光源としての透過原稿用光源１１ａ、原稿ホルダ２０を表面から照射する光源としての反射原稿用光源１１ｆ、ミラー１１ｃ、及びレンズ１１ｂを備える。透過原稿用光源１１ａはキセノンランプ等の管照明装置から構成されており、その長手方向軸がリニアイメージセンサ１２の長手方向軸と平行に延びる姿勢で配置されている。透過原稿用光源１１ａは原稿ホルダ２０を裏面から照射し、ミラー１１ｃ及びレンズ１１ｂは図２に示すように主走査線からリニアイメージセンサ１２に至る光路Ｔを形成する。
【００１４】
副走査手段としての副走査駆動部１６は、原稿ホルダ２０及び原稿Ｍに対し主走査線を主走査線に垂直な方向Ｘ（副走査方向）に相対的に移動させる。具体的には、原稿ホルダ２０を搬送する複数の搬送ローラ１６ｂ及び１６ｄ、搬送ローラと協働して原稿ホルダ２０を狭持して搬送する従動ローラ１６ａ及び１６ｃ、並びにこれらのローラを回転させるモータ及び歯車列、駆動回路等で構成され本体に収容されている。副走査駆動部１６が搬送ローラ１６ｂ及び１６ｄを回転させることで原稿ホルダ２０が副走査方向に移動するため２次元画像の走査が可能となる。尚、第一実施例では原稿ホルダ２０を搬送することで原稿に対して主走査線を移動させる場合を例に説明するが、リニアイメージセンサ１２をキャリッジに搭載して運搬することで主走査線を原稿に対して移動させるようにしてもよい。
【００１５】
図３は、スキャナ１を示すブロック図である。
主走査駆動部１５は、本体に固定された基板に搭載される。主走査駆動部１５はリニアイメージセンサ１２を駆動するために必要な駆動パルスをリニアイメージセンサ１２に出力する駆動回路である。主走査駆動部１５は、例えば同期信号発生器、駆動用タイミングジェネレータ等から構成される。
【００１６】
アナログフロントエンド（ＡＦＥ）部１３は、アナログ信号処理部、Ａ／Ｄ変換器等から構成される。アナログ信号処理部は、リニアイメージセンサ１２から出力された出力信号に増幅、雑音低減処理等を施して出力する。Ａ／Ｄ変換器は、アナログ信号処理部から出力された出力信号を量子化して所定ビット長のディジタル表現の画素値を画素毎に出力する。
【００１７】
ディジタル画像処理部１４は、ＡＦＥ部１３から出力された画素値に対し、シェーディング補正、ガンマ補正、画素補間法による欠陥画素の補間、ホワイトバランスの補正、画像信号の鮮鋭化等の処理を行ってディジタル画像を作成する。
制御部１７は、ＣＰＵ１７ａ、ＲＯＭ１７ｂ及びＲＡＭ１７ｃを備える。ＣＰＵ１７ａはＲＯＭ１７ｂに記憶されたコンピュータプログラムを実行してスキャナ１の各部を制御する。また、ＣＰＵ１７ａはＲＯＭ１７ｂに記憶されたコンピュータプログラムを実行することで、読み取り領域設定手段としても機能する。ＲＯＭ１７ｂは原稿ホルダの種類毎に設定されているデータ、各種のプログラム、各種のデータなどを記憶しているメモリである。これら各種のプログラムやデータは所定のサーバからネットワークを介してダウンロードして入力してもよいし、図示しないリムーバブルメモリ等のコンピュータ読み取り可能な記憶媒体から読み出して入力してもよい。ＲＡＭ１７ｃはプログラムやデータを一時的に記憶するメモリである。
【００１８】
原稿ホルダ２０は原稿の種類に応じて交換可能であり、異なる形状の原稿に対応した複数の種類が存在する。ここでは例として３種類の原稿ホルダについて説明する。
図４は、３５ｍｍマウントフィルム用の原稿ホルダ２０ａを示す模式図である。原稿ホルダ２０ａは複数の原稿窓２１ａ〜２１ｈ、マークとしての複数の第一通孔２２ａ〜２２ｄ、並びに第二通孔２３、第三通孔２４、白基準窓２５、及びガイド２６を有する。
【００１９】
ガイド２６は、原稿ホルダ２０ａを副走査方向に案内するための溝である。原稿ホルダ２０ａが副走査駆動部１５によって搬送されるとき、主走査線はガイド２６に対して垂直になる。原稿ホルダ２０ａは本体に設けられた開口部に、図４に示す白基準窓２５側から挿入され、ガイド２６に案内されて副走査方向に搬送される。
【００２０】
白基準窓２５は長辺がガイド２６と垂直な方向に延びる概ね矩形の開口部である。白基準窓２５はシェーディング補正を行うための白基準データを設定するために設けられている窓である。各画素の白基準データは白基準窓２５を通過した光をリニアイメージセンサ１２で受光して設定する。
原稿窓２１ａ〜２１ｈはフィルム等の透過原稿が納まる矩形の開口部である。原稿は、読み取り対象となる範囲が原稿窓２１内に納まるよう、図示しない位置決め用の部材などに保持されて位置決めされる。原稿ホルダ２０ａの場合には図示するように複数の原稿窓２１ａ〜２１ｈが２列に並んで形成されている。
【００２１】
第一通孔２２ａ〜２２ｄは、原稿窓２１ａ〜２１ｈの主走査線に垂直な対向する２辺３１及び３２の上流側に延びる延長線上に、それぞれ原稿ホルダ２０ａを貫通した通孔として主走査線に平行な１直線上に並ぶように形成されている。原稿ホルダ２０ａは白基準窓２５側からスキャナ１の図示しない開口部に挿入され、副走査駆動部１６によって搬送される。このため原稿ホルダ２０ａ上では、各原稿窓２１ａ〜２１ｈにとっては白基準窓２５側が上流側となる。他の原稿ホルダについても同様であり、原稿窓にとって白基準窓２５側が上流側となる。原稿ホルダ２０ａでは、第一通孔２２は原稿窓２１毎ではなく原稿窓２１の列毎に２つ形成されている。同一列に属する各原稿窓２１に対する読み取り領域は、その主走査線に垂直な対向する２辺が、当該列の第一通孔２２を通り主走査線に垂直な対向する２直線３３及び３４に重なるように設定される。尚、第一通孔を原稿窓の主走査線に垂直な対向する２辺の延長線から主走査方向に所定の距離離れた位置に形成し、読み取り領域の主走査線に垂直な対向する２辺は、第一通孔から主走査方向に所定の距離離れた位置を通り主走査線に垂直な２直線に重なるように設定してもよい。マークを通孔として形成した場合、透過原稿用光源１１ａで原稿ホルダを裏面から照射すると、通孔を通った光がリニアイメージセンサ１２に検出される。したがって、通孔を通る光をリニアイメージセンサ１２で検出し、通孔の位置を基準として読み取り領域を設定することによって、原稿ホルダ２０ａを裏面から照射した状態でも読み取り領域を精度よく設定することができる。
【００２２】
第二通孔２３及び第三通孔２４も同様に原稿ホルダ２０ａを貫通する孔として形成されている。第三通孔２４は第二通孔２３から副走査方向に所定距離ａ離間した位置に設けられており、その距離ａは原稿ホルダ２０の種類毎に異なっている。従って、距離ａを検出することにより原稿ホルダ２０の種類を一意に識別することができる。
【００２３】
図５は、３５ｍｍストリップフィルム用の原稿ホルダを示す模式図である。３５ｍｍストリップフィルム用の原稿ホルダ２０ｂの場合には図示するように２つの原稿窓２１ｊ及び２１ｋが形成されている。第一実施例の原稿ホルダ２０ｂの原稿窓２１ｊ及び２１ｋには、副走査方向の長さが原稿窓２１の副走査方向の長さより短い原稿を納めることも可能である。原稿ホルダ２０ｂの第二通孔２３と第三通孔２４との副走査方向の距離ａは３５ｍｍマウントフィルム用の原稿ホルダ２０ａとは異なっている。
【００２４】
図６は、４ｉｎｃｈ×５ｉｎｃｈフィルム用の原稿ホルダを示す模式図である。４ｉｎｃｈ×５ｉｎｃｈフィルム用の原稿ホルダ２０ｃの場合には原稿窓２１が１つであるため、形成されている第一通孔２２は第一通孔２２ａ及び２２ｂの２つだけである。原稿ホルダ２０ｃの第二通孔２３と第三通孔２４との副走査方向の距離ａは原稿ホルダ２０ａとも原稿ホルダ２０ｂとも異なっている。
【００２５】
次に、読み取り領域及び読み取り領域の設定について説明する。
始めに読み取り領域について説明する。第一実施例では、読み取り領域を画素及び読み取りラインによって設定するものとする。具体的には、読み取り領域の主走査方向についてはリニアイメージセンサ１２に配列されている画素の範囲を特定する情報、例えば画素１００１〜画素１３００のなどのように設定する。ここで”１００１”や”１３００”は画素に割り振られている画素番号である。リニアイメージセンサ１２は主走査線を副走査方向に移動させて原稿ホルダ２０上の読み取りラインを１ラインずつ順に読み取る。このため、読み取り領域の副走査方向については読み取りラインの範囲を特定する情報、例えばライン番号２００〜ライン番号６００などのように設定する。これにより読み取り領域を一意に特定することができる。
【００２６】
次に、読み取り領域の設定について説明する。尚、ここでは３５ｍｍストリップフィルム用の原稿ホルダ２０ｂを例に説明する。
図１は、原稿ホルダ２０ｂの表面を読み取って作成したディジタル画像を示す模式図である。読み取り領域の設定は、ディジタル画像の第１ラインＳ、第２ライン群Ｕ、第３ラインＮ及び第４ラインＲの画素値に基づいて行う。第１ラインＳは第二通孔２３及び第三通孔２４を表す領域を通る主走査方向に垂直なラインである。尚、ディジタル画像における主走査方向とは、原稿ホルダ２０ｂを読み取る際の主走査方向に対応する方向であり、具体的には白基準窓２５を表す矩形の領域の長手方向に平行な方向である。第２ライン群Ｕは第一通孔２２を表す複数の領域を通る主走査方向に平行な複数のライン（第２ライン）からなるライン群である。図中には第２ラインを３本しか示していないが、実際には例えば数１０ラインが設定される。第３ラインＮ及び第４ラインＲは原稿窓２１ｊ及び２１ｋを表す領域の主走査方向の概ね中心を通る主走査方向に垂直なラインである。
【００２７】
図７は、第１ラインＳの画素値を画素番号の順に示すグラフである。第一ラインＳの画素値は全てリニアイメージセンサ１２の一つの画素Ｐ５によって出力される。第一ラインＳ上の第二通孔２３及び第三通孔２４を表す領域の画素値は、画素Ｐ５に第二通孔２３及び第三通孔２４を通過した放射光が入射するため大きくなり、第一ラインＳ上のそれ以外の領域の画素値は、画素Ｐ５に放射光が入射しないため小さくなる。このためグラフでは図示するように第二通孔２３を表す領域と第三通孔２４を表す領域とで画素値が大きくなる。第二通孔２３を表す領域及び第三通孔２４を表す領域の中心にある画素を判定すれば、当該画素の画素値を出力した読み取りラインのライン番号Ｌ１（図１参照）を特定できる。これにより、第二通孔２３の副走査方向の中心の位置をライン番号Ｌ１として検出できる。また、第三通孔２４についても同様にライン番号Ｌ３として検出でき、それにより第二通孔２３と第三通孔２４との距離ａを検出できる。
【００２８】
図８は、第２ライン群Ｕに含まれる一つの第２ラインの画素値を画素番号の順に示すグラフである。第一通孔２２ａ〜２２ｄは円形に形成されているため、各第２ラインに対応するグラフを順に見ていった場合、第一通孔２２ａ〜２２ｄに対応する領域の幅Ｗはそれぞれ徐々に広くなり、第一通孔２２ａ〜２２ｄに対応する領域の副走査方向の中心を通る第２ラインを境に徐々に狭くなる。従って、それらの領域の幅Ｗが最も広い第２ラインを判定すれば、第一通孔２２ａ〜２２ｄに対応する領域の副走査方向の中心を通る第２ラインを特定できる。特定した第２ラインの画素値のうち第一通孔２２ａ〜２２ｄを表す領域の中心にある各画素値を判定すれば、当該画素値を出力したリニアイメージセンサ１２の画素Ｐ１、Ｐ２、Ｐ３及びＰ４を特定できる。これにより、第一通孔２２ａ〜２２ｄを表す領域の中心の位置を画素Ｐ１、Ｐ２、Ｐ３及びＰ４として検出できる。
【００２９】
図９は、第３ラインＮの画素値を画素番号の順に示すグラフである。原稿ホルダ２０ｂを図１に示す白基準窓２５側から順に読み取っていった場合、第３ラインＮの画素値を出力するリニアイメージセンサ１２の画素は、初めは原稿ホルダ２０ｂに遮られているため放射光を受光せず、画素値が小さくなる。白基準窓２５を読み取る位置では放射光を受光するため画素値が一定して大きくなる。その後、再び原稿ホルダ２０ｂに遮られて画素値が低下する。原稿窓２１ｊを読み取る位置では、原稿Ｍ１が納められている原稿領域を読み取る位置のときは原稿Ｍ１を透過した透過光を受光するため原稿Ｍ１の濃淡に相関する画素値を出力する。原稿Ｍ１が納められていない非原稿領域を読み取る位置のときは再び放射光を受光するため一定して画素値が大きくなる。従って、図９に示すように原稿領域を過ぎると画素値がほぼ白基準窓２５における画素値と同じレベルで連続する。すなわち、画素値が白基準窓２５における画素値と同じレベルで連続する領域を見つけることで、その領域が始まる直前の画素値を出力したライン番号Ｌ５を特定できる。これにより原稿Ｍ１の副走査方向の後端、すなわち原稿Ｍ１の副走査方向の一端をライン番号Ｌ５として検出できる。検出したライン番号Ｌ５を読み取り領域の一端に設定すると、読み取り領域内の非原稿領域を小さくすることができる。第４ラインＲについても同様である。
【００３０】
次に、スキャナ１が読み取り領域を設定する処理について説明する。
図１０は、読み取り領域を設定する処理の流れを示すフローチャートである。
Ｓ１０５では、白基準窓２５を読み取って画素毎に白基準データを設定する。
Ｓ１１０では、プレスキャンを行い、原稿ホルダ２０の表面を読み取ってディジタル画像を作成する。尚、プレスキャンでは画素数を減らした低解像度のディジタル画像を作成してもよい。
【００３１】
Ｓ１１５では、第１ラインＳ、第２ライン群Ｕ、第３ラインＮ及び第４ラインＲの画素値に基づいて原稿の読み取り領域を設定する。詳しくは後述する。
Ｓ１２０では、本スキャンを行って原稿ホルダ２０の表面を読み取って画素値を出力し、出力した画素値のうち設定した読み取り領域に含まれる画素値のみを用いてディジタル画像を作成する。
【００３２】
図１１は、Ｓ１１５の処理の流れを示すフローチャートである。
Ｓ２０５では、Ｓ１１０で出力した第１ラインＳの画素値に基づいて、第二通孔２３を表す領域の副走査方向の中心にある画素の画素値を出力した読み取りラインのライン番号Ｌ１と距離ａとを検出する。
Ｓ２１５では、各原稿ホルダ２０に予め設定されている第二通孔２３と第三通孔２４との距離と、検出した距離ａとを比較し、距離ａが３５ｍｍストリップフィルム用の原稿ホルダ２０ｂに対して設定されている距離にほぼ一致する場合はＳ２１０に進む。３５ｍｍマウントフィルム用の原稿ホルダ２０ａに対して設定されている距離にほぼ一致する場合はＳ２１５に進み、４ｉｎｃｈ×５ｉｎｃｈフィルム用の原稿ホルダ２０ｃに対して設定されている距離にほぼ一致する場合はＳ２２０に進む。
【００３３】
Ｓ２１５、Ｓ２２０、及びＳ２２５では各原稿ホルダ２０の種類に応じて読み取り領域の設定を行う。以下、各原稿ホルダ２０に応じた読み取り領域の設定の流れについて説明する。
図１２は、Ｓ２１５の処理の流れを示すフローチャートである。
Ｓ３０５では、第２ライン群Ｕの画素値に基づいて、第一通孔２２ａ〜２２ｄを表す領域の主走査方向の中心にある画素Ｐ１〜Ｐ４を検出する。
【００３４】
Ｓ３１０では、第３ラインＮの画素値に基づいて原稿窓２１ｊに納められた原稿の後端のライン番号Ｌ５を特定する。
Ｓ３１５では、第４ラインＲの画素値に基づいて原稿窓２１ｋに納められた原稿の後端に対応するラインのライン番号Ｌ６を特定する。
Ｓ３２０では、始めに、画素Ｐ１から画素Ｐ２までを主走査方向の読み取り領域として設定する。次に、Ｓ２０５で検出した第二通孔２３の中心から３５ｍｍストリップフィルム用の原稿ホルダ２０ｂに対して設定されている距離ｂに基づいて特定されるラインのライン番号Ｌ２から、原稿の後端に対応するラインのライン番号Ｌ５までを副走査方向の読み取り領域として設定する。原稿窓２１ｋについても同様である。これにより矩形の読み取り領域（Ｐ１〜Ｐ２）×（Ｌ２〜Ｌ５）、及び（Ｐ３〜Ｐ４）×（Ｌ２〜Ｌ６）が設定される。
【００３５】
図１３は、Ｓ２２０の処理の流れを示すフローチャートである。
Ｓ４０５では、第２ライン群Ｕの画素値に基づいて第一通孔２２ａ〜２２ｄを表す領域の中心にある画素Ｐ１〜Ｐ４を検出する。
Ｓ４１０では、始めに、第一通孔２２ａと第一通孔２２ｂとで特定される列については、画素Ｐ１から画素Ｐ２までを主走査方向の読み取り領域として設定する。次に、Ｓ２０５で検出した第二通孔２３の中心から３５ｍｍマウントフィルム用の原稿ホルダ２０ａに対して設定されている距離ｂ、距離ｃ及び距離ｈに基づいて特定されるラインのライン番号Ｌ２、及びＬ４〜Ｌ１０を各原稿窓２１の副走査方向の読み取り領域として設定する。これにより矩形の読み取り領域（Ｐ１〜Ｐ２）×（Ｌ２〜Ｌ４）、（Ｐ１〜Ｐ２）×（Ｌ５〜Ｌ６）、（Ｐ１〜Ｐ２）×（Ｌ７〜Ｌ８）、及び（Ｐ１〜Ｐ２）×（Ｌ９〜Ｌ１０）が設定される。第一通孔２２ｃと第一通孔２２ｄとで特定される列についても同様に矩形の読み取り領域（Ｐ３〜Ｐ４）×（Ｌ２〜Ｌ４）、（Ｐ３〜Ｐ４）×（Ｌ５〜Ｌ６）、（Ｐ３〜Ｐ４）×（Ｌ７〜Ｌ８）、及び（Ｐ３〜Ｐ４）×（Ｌ９〜Ｌ１０）が設定される。
【００３６】
図１４は、Ｓ２２５の処理の流れを示すフローチャートである。
Ｓ５０５では、第２ライン群Ｕの画素値に基づいて第一通孔２２ａ及び２２ｂを表す領域の中心にある画素Ｐ１及びＰ２を検出する。
Ｓ５１０では、始めに、画素Ｐ１から画素Ｐ２までを主走査方向の読み取り領域として設定する。次に、Ｓ２０５で検出した第二通孔２３の中心から４ｉｎｃｈ×５ｉｎｃｈフィルム用の原稿ホルダ２０ｃに対して設定されている距離ｂ及び距離ｃに基づいて特定されるラインのライン番号Ｌ２及びＬ４を原稿窓２１ｍの副走査方向の読み取り領域として設定する。これにより矩形の読み取り領域（Ｐ１〜Ｐ２）×（Ｌ２〜Ｌ４）が設定される。
【００３７】
以上説明した本発明の一実施例に係るスキャナ１によると、原稿窓２１の２辺３１及び３２の延長線上に第一通孔２２を形成しておくことにより、リニアイメージセンサ１２が出力する画素値に基づいて２辺３１及び３２の位置を精度よく検出することができる。読み取り領域の主走査線に垂直な対向する二辺を、検出した２辺３１及び３２に重なるように設定すると、読み取り領域を精度よく設定することができる。このため、光学系の倍率誤差やリニアイメージセンサ１２の組み付け位置の調整誤差があるスキャナ１であっても、そうした誤差が読み取り領域の設定に実質的な影響を与えなくなるため、リニアイメージセンサ１２の画素に原稿窓２１の領域とずれていない領域を対応付けることができる。
【００３８】
また、スキャナ１によると、原稿ホルダ２０を表すディジタル画像全体の濃度ヒストグラムに基づいて読み取り領域を設定するのではなく、ディジタ画像を構成する画素のうち、第１ラインＳ、第２ライン群Ｕ、第３ラインＮ、及び第４ラインＲの画素値のみを用いて設定する。このためＣＰＵ１７ａやＲＡＭ１７ｃといったリソースを長期間占有する煩雑な処理が不要である。従って透過原稿の読み取り領域を簡素な処理で判定できる。
【００３９】
尚、上述の第一実施例では、原稿窓３２の２辺３１及び３２の延長線上に形成された２つの第一通孔２２の位置を基準にして読み取り領域の主走査方向の両端を設定したが、原稿窓３２の２辺３１及び３２のいずれか一方の延長線上に形成された１つの第一通孔２２の位置を基準にして読み取り領域の主走査方向の両端を設定してもよい。
【００４０】
（第二実施例）
第二実施例では、写真や印刷された文書などの反射原稿を読み取るための原稿ホルダを例に説明する。尚、第二実施例では第一実施例と実質的に同一な部分については同一の符号を付して説明を省略する。
図１５は、反射原稿用の原稿ホルダ２０ｄを示す模式図である。原稿ホルダ２０ｄは原稿窓２１ｑ、マーク２８、白基準板２７、ガイド２６、及び原稿窓２１ｑに納められた原稿を狭持するための図示しない透明板を有する。
【００４１】
白基準板２７は長辺がガイド２６と垂直な方向に延びる概ね矩形の板であって、反射率の高い白色板である。各画素の白基準データは白基準板２７に反射された光をリニアイメージセンサ１２で受光して設定する。
原稿窓２１ｑは反射原稿Ｍが載置される矩形の凹み部である。反射原稿Ｍは原稿窓２１ｑの内周壁に当接して位置決めされ、図示しない透明板で覆われることで位置ズレすることなく原稿ホルダ２０ｄに狭持される。尚、図示する例の原稿窓２１ｑは原稿窓２１ｑより小さい反射原稿Ｍが載置されている様子を示している。このように第二実施例の原稿ホルダ２０ｄは、原稿窓２１ｑに原稿窓２１ｑより小さい反射原稿Ｍを載置することもできる。
【００４２】
マーク２８は、原稿ホルダ２０ｄに形成された円形の通孔２８ａと、通孔２８ａを図１６に示すように原稿ホルダ２０ｄの裏面から閉塞する閉塞部材２８ｂとで形成されている。通孔２８ａは、例えば射出成形により原稿窓２１ｑと同一の成形工程において成形される。したがって、印刷などの別工程で原稿ホルダ２０ｄにマークを形成する場合に比べ、原稿窓２１ｑに対してマークを精度よく位置決めすることができる。すなわち、通孔２８ａでマーク２８を形成することにより、印刷等でマークを形成する場合に比べて読み取り領域を精度よく設定することができる。マーク２８は原稿窓２１ｑの主走査線に垂直な辺３２の上流側に延びる延長線上に、原稿窓２１ｑから所定距離離間して形成されている。原稿ホルダ２０ｄは白基準板２７側から挿入されて搬送されるため、原稿窓２１ｑの上流側とは原稿窓２１ｑにとって白基準板２７側のことをいう。第二実施例の原稿ホルダ２０ｄの色は黒色であり、閉塞部材２８ｂは白基準板２７と同じ材質の白色板で形成されている。原稿ホルダ２０ｄの色が黒色であるとき、閉塞部材２８ｂを白色にするとディジタル画像上でマーク２８を表す画素と原稿ホルダ２０ｄを表す画素とのコントラストが鮮明になり、ディジタル画像上でのマーク２８の検出が容易になる。なお、第二実施例では通孔２８ａを塞ぐことでマークとしているが、原稿ホルダ２０ｄに通孔ではなく凹みを形成し、当該凹みをマークとして用いるようにしてもよい。また、第二実施例では閉塞部材２８ｂとして白色板を用いているが、白色板以外の色であってもよい。マーク２８を凹みとして形成する場合も同様であり、凹みの底は白色であってもよい。
【００４３】
次に、マーク２８の検出について説明する。
図１７は、マーク２８の検出を説明するための模式図である。マーク２８の検出とは、具体的にはディジタル画像上においてマーク２８を表す画素の中心にある画素を特定することをいう。中心の画素を特定する方法は第一実施例の第一通孔２２ａ〜２２ｄの場合と同様の方法で行う。すなわち、マーク２８を通る複数のラインを設定し、各ライン上でマーク２８を表す画素の画素数を順に見ていくことにより行う。図１７は、マーク２８を通る複数のラインＬａ〜Ｌｇについて、画素値を画素番号の順に示すグラフを示している。尚、図１７に示す各グラフはマーク２８近傍の画素の画素値のみを示している。マーク２８は閉塞部材２８ｂで閉塞されているため、マーク２８を表す画素の画素値は大きくなり、原稿ホルダ２０ｄを表す画素の画素値は小さくなる。図示するようにマーク２８を表す画素の数は徐々に多くなり、あるラインで最大になった後、徐々に少なくなる。図示する例ではラインＬｄで最大になっているため、マーク２８を表す画素の中心にある画素はラインＬｄ上の画素であることが特定できる。次に、当該ライン上の画素であってマーク２８を表す画素のうち、その中心にある画素の画素番号Ｐａを特定すれば、マーク２８を表す複数の画素の中心にある画素として画素（Ｐａ、Ｌｄ）を特定できる。このようにマーク２８を円形にするとその光学像から中心位置を正確に検出することが容易である。マーク２８の正確な中心位置を検出できると、当該中心位置を基準にして読み取り領域を設定することで読み取り領域をさらに精度よく設定できる。
【００４４】
次に、読み取り領域の設定について説明する。読み取り領域の設定は、マーク２８の位置に基づいて行う。前述したようにマーク２８は辺３２の延長線上に所定距離離間して形成されている。従ってディジタル画像上でマーク２８の位置を検出すれば、マーク２８と原稿窓２１ｑとの距離に基づいて、ディジタル画像上において原稿窓２１ｑの原点Ｖに相当する画素を特定することができる。例えば検出した原点Ｖの画素の座標が（Ｐ２、Ｌ２）であったとする。この場合、読み取り領域の副走査方向に並行なラインは画素Ｐ２として特定され、主走査方向に平行なラインはライン番号Ｌ２として特定される。副走査方向に並行な他方のラインのライン番号Ｐ１については原稿窓２１ｑの主走査方向の間隔ｄに基づいて特定できる。具体的には、間隔ｄが決まればその間隔に相当する画素数を一意に特定できるため、従ってライン番号Ｐ２と間隔ｄとが決まればライン番号Ｐ１を特定できる。主走査方向に平行な他方のラインのライン番号Ｌ４についても同様に原稿窓２１ｑの副走査方向の間隔ｃに基づいて特定できる。この結果、矩形の領域（Ｐ１〜Ｐ２）×（Ｌ２〜Ｌ４）が読み取り領域として設定されることになる。
【００４５】
前述したように原稿ホルダ２０ｄは原稿窓２１ｑに原稿窓２１ｑより小さい反射原稿Ｍを載置できる。しかしながら、上述した読み取り領域は原稿窓２１ｑ全体を読み取り領域として設定するため、設定した読み取り領域内には原稿ではない領域（非原稿領域）も含まれることになる。すなわち、読み取り領域と原稿領域とが一致しない。読み取り領域と原稿領域とが一致しない場合は、読み取り領域内の画素値に基づいて原稿領域であるか非原稿領域であるかを判定する等により原稿領域を特定すればよい。
【図面の簡単な説明】
【図１】本発明の実施例に係るディジタル画像を示す模式図である。
【図２】本発明の実施例に係る画像読み取り装置の模式図である。
【図３】本発明の実施例に係る画像読み取り装置のブロック図である。
【図４】本発明の実施例に係る原稿ホルダの模式図である。
【図５】本発明の実施例に係る原稿ホルダの模式図である。
【図６】本発明の実施例に係る原稿ホルダの模式図である。
【図７】本発明の実施例に係るヒストグラムである。
【図８】本発明の実施例に係るヒストグラムである。
【図９】本発明の実施例に係るヒストグラムである。
【図１０】本発明の実施例に係るフローチャートである。
【図１１】本発明の実施例に係るフローチャートである。
【図１２】本発明の実施例に係るフローチャートである。
【図１３】本発明の実施例に係るフローチャートである。
【図１４】本発明の実施例に係るフローチャートである。
【図１５】本発明の実施例に係る原稿ホルダの模式図である。
【図１６】本発明の実施例に係るマークの模式図である。
【図１７】本発明の実施例に係るマークの検出を示す模式図である。
【符号の説明】
１  フィルムスキャナ（画像読み取り装置）、１１ａ  透過原稿用光源、１１ｂレンズ（光学系）、１１ｃ  ミラー（光学系）、１１ｄ  反射原稿用光源、１２  リニアイメージセンサ、１６  副走査駆動部（副走査手段）、１７  制御部（読み取り領域設定手段）、２０  原稿ホルダ、２１  原稿窓、２２  第一通孔（マーク）、２８  マーク
【図１】
2005020258.tif 000003
【図２】
2005020258.tif 000004
【図３】
2005020258.tif 000005
【図４】
2005020258.tif 000006
【図５】
2005020258.tif 000007
【図６】
2005020258.tif 000008
【図７】
2005020258.tif 000009
【図８】
2005020258.tif 000010
【図９】
2005020258.tif 000011
【図１０】
2005020258.tif 000012
【図１１】
2005020258.tif 000013
【図１２】
2005020258.tif 000014
【図１３】
2005020258.tif 000015
【図１４】
2005020258.tif 000016
【図１５】
2005020258.tif 000017
【図１６】
2005020258.tif 000018
【図１７】
2005020258.tif 000019